(57)【要約】  本発明による方法および装置は、計量装置の調整に用いる。計量装置によって表示される重量は、計量装置の設置場所の領域で支配的な重力に整合させる。整合は、計量装置によって評価可能なコードを使用して行う。
2013522608.tif 000002
【特許請求の範囲】
【請求項１】
計量装置によって表示される重量を、該計量装置の設置場所の領域で支配的な重力に整合させるようにした、計量装置を調整する方法において、
前記計量装置によって評価可能なコードを使用して前記整合を行うことを特徴とする方法。
【請求項２】
前記コードが使用場所で支配的な局所的重力加速度に対する値に対応していることを特徴とする、請求項１に記載の方法。
【請求項３】
前記コードを特定の計量装置（１）に個別に割り当てることを特徴とする、請求項１または２に記載の方法。
【請求項４】
改ざん防止コードを使用することを特徴とする、請求項１から３までのいずれか一つに記載の方法。
【請求項５】
前記コードを前記計量装置（１）のシリアルナンバーとリンクさせることを特徴とする、請求項１から３までのいずれか一つに記載の方法。
【請求項６】
前記コードを暗号化することを特徴とする、請求項１から５までのいずれか一つに記載の方法。
【請求項７】
前記コードを手で前記計量装置（１）に入力することを特徴とする、請求項１から６までのいずれか一つに記載の方法。
【請求項８】
前記コードを電子式で前記計量装置（１）に入力することを特徴とする、請求項１から６までのいずれか一つに記載の方法。
【請求項９】
前記コードを１回で前記計量装置（１）に入力することを特徴とする、請求項１から８までのいずれか一つに記載の方法。
【請求項１０】
計量装置によって表示される重量を該計量装置の設置場所の領域で支配的な重力に整合させる調整機構を備えた前記計量装置において、
前記調整機構が、コードのための入力機構と、該コードを、表示された重量を局所的に支配する重力に整合させる修正ファクタに変換する評価機構とを有していることを特徴とする計量装置。
【発明の詳細な説明】
【技術分野】
【０００１】
本発明は、計量装置によって表示される重量を、該計量装置の設置場所の領域で支配的な重力に整合させるようにした、計量装置を調整する方法に関するものである。
【背景技術】
【０００２】
この種の計量装置は典型的には重量計として構成され、人間および物体の重量を計るために使用できる。医学分野で使用される重量計に対しては、調整および場合によっては校正が必要である。
【０００３】
重量計によって表示される重量は、計量される対象物の質量にも、局所的な引力にも依存している。引力は地表面のどの場所でも一定ではなく、重量に対する設定測定感度内でずれが発生する範囲で局所的に変化する。
【０００４】
技師術水準によれば、所定の設置場所で支配的な引力は種々の処置によって考慮することができる。その一つによれば、所定の設置場所を考慮して重量計を個別に製造することが可能である。その結果比較的高い製造コストが生じる。他の実施態様によれば、重量計を所定の規準に従って製造し、実際の作動場所において新たに調整し、場合によっては校正することが可能である。その結果重量計の利用者にかなりの煩雑さが生じ、重量計を作動できるようにするには時間的にかなりの遅れが生じる。
【０００５】
自動化された方法によれば、重量計にＧＰＳ受信機を備えさせ、これによって実際の設置場所を検出することが知られている。この場合、局所的な重力加速度は近似式に従って検出でき、或いは、記憶されたテーブルから読み出すことができる。この方法では高い製造コストが発生し、衛星リンクを確立することを前提としている。
【０００６】
より簡単な方法は、地理学的位置を手動で入力し、局所的な引力を近似式を介して演算することである。この種の方法は、入力ミスすると誤測定になり、さらに、表示された値を意識的に改ざんすることができる。この場合、校正条件のもとでの使用は不可能である。
【０００７】
設置場所のデータをスキャンインし、近似式を使用して重力加速度を演算することも考えられるが、前述のような手で入力する場合の欠点と同じ欠点が生じる。
【発明の概要】
【発明が解決しようとする課題】
【０００８】
本発明の課題は、冒頭で述べて種類の方法において、計量装置の簡単且つ改ざん防止可能な調整がアシストされるようにすることである。
本発明の他の課題は、冒頭で述べた種類の装置において、計量装置の簡単且つ改ざん防止可能な調整がアシストされるようにすることである。
【課題を解決するための手段】
【０００９】
上記課題は、方法においては、計量装置によって評価可能なコードを使用して整合を行うことによって解決される。
【００１０】
さらに、装置においては、調整機構が、コードのための入力機構と、該コードを、表示された重量を局所的に支配する重力に整合させる修正ファクタに変換する評価機構とを有していることによって解決される。
【００１１】
入力可能なコードを使用して計量装置を調整することにより、重量計の製造を、所定の設置場所に関係なく普遍性をもって行うことが可能である。所定の使用領域で支配的な引力に対する重量計の整合は、重量計の利用者または対応する販売者によって最初に行われる。
【００１２】
１つの典型的な実施態様は、コードが使用場所で支配的な局所的重力加速度に対する値に対応していることによって提供される。
【００１３】
コードを特定の計量装置に個別に割り当てることによって校正が可能である。
【００１４】
高度な使用防止機能を提供するため、改ざん防止コードを使用することが提案される。
【００１５】
コードを特定の機器に対し個別に割り当てるため、コードを計量装置のシリアルナンバーとリンクさせる。
【００１６】
コードを暗号化することにより、データ保護をさらに向上させることができる。
【００１７】
コードを手で計量装置に入力することによって普遍的な適用性がアシストされる。
【００１８】
コードを電子式で計量装置に入力することによって操作快適性を向上させることができる。
【００１９】
改ざん防止の更なる改善は、コードを１回で計量装置に入力することによって達成できる。
【図面の簡単な説明】
【００２０】
図面には本発明の実施形態が図示されている。
【図１】乳児用体重計の斜視図である。
【図２】表示フィールドと操作フィールドとを高位置に取り付けた個人用体重計の斜視図である。
【図３】床置き体重計の斜視図である。
【図４】コードの評価を説明するフローチャートである。
【図５】簡易化コード入力の一例を示す図である。
【図６】複合コード入力の一例を示す図である。
【発明を実施するための形態】
【００２１】
図１は計量装置（１）の斜視図である。この実施形態では、計量装置（１）は乳児用体重計として構成されている。計量装置（１）は実質的にベース要素（２）と載置要素（３）とから成っている。情報を表示するため、特に測定重量を表示するため、ディスプレイ（４）が設けられている。計量装置（１）の調整は調整要素（５）を使用して行うことができる。
【００２２】
図２の実施形態は、載置要素（３）が被計量人の起立面として形成されている計量装置（１）を示している。水平配向をアシストするため、ベース要素（２）は足部（６）上にある。操作性は、ディスプレイ（４）と調整要素（５）とが制御卓（７）の領域に配置されていることによりアシストされる。制御卓（７）はコラム（８）によって担持されて、人間工学的に好ましい視認高さおよび操作高さに位置決めされている。
【００２３】
図３は、床置き体重計として構成された計量装置（１）の他の実施形態を示している。ここでもディスプレイ（４）と調整要素（５）とが設けられている。
【００２４】
図４は、それぞれの計量装置を局所的に設けられるＧＡＬ値に整合させるための機能過程を説明する図である。この整合は、典型的には、計量装置（１）を最初に作動させるときに１回きり行われる。計量装置（１）を通電した後、この最初の調整がすでに行われたかどうかを質問する。もし行われていなければ、それぞれのコードをインプットする可能性が提供され、コードの妥当性をチェックする。妥当なコードであれば、コードから重力加速度を導出して記憶する。
【００２５】
この種の調整がすでに行われていれば、すぐに測定過程に移行する。測定過程を実施すると、測定値が検出されて、検出した測定値を、これに割り当てられた整合係数を用いて確定する。次に、コードを評価する際に検出した局所的に有効な重力加速度を用いた確定を行う。
【００２６】
これによって提供された未処理測定値は次のように処理することができる。たとえば、ゼロ信号を減じることができ、或いは、所望の単位に置換することができる。その後、検出した測定値はディスプレイ（４）の領域で表示される。
【００２７】
図５はコードのシーケンシャル入力を例示したものである。
【００２８】
図６の実施形態では、複合コード入力が行われ、付加的にたとえば該当する機器のシリアルナンバーが入力される。これによって入力確実性が向上する。
【００２９】
コードにシリアルナンバーを取り込むことの代わりに、または、これに加えて、シリアルナンバーを介してチェックサムを形成し、このチェックサムをコードに取り入れることも可能である。チェックサムはたとえばＣＲＣとして設定することができる。コードへのチェックサムの取り込みにより、コードを短縮させることができ、それにもかかわらず重量計に割り当てられたコードを備えていない重量計の作動を阻止することができる。これは、コードと重量計との間に一義的な割り当てがない場合も適用される。
【００３０】
ディスプレイ（４）および／または調整要素（５）を使用して手動でコードを入力する代わりに、自動入力も可能である。これはたとえば計量装置（１）に取り付けられるＲＦＩＤチップを使用して行うことができる。ＲＦＩＤチップは、コードを持った製造者または認定済みの販売者が記述することができ、或いは、該当するＧＡＬ値だけを持った製造者または認定済みの販売者でも記述することができる。改ざん防止はチェックサムを使用して行うことができる。典型的には、計量装置（１）の最初の始動の際にＲＦＩＤチップの１回の読み取りを行う。
【００３１】
他の変形実施形態によれば、コードの入力は、計量装置（１）とケーブル接続またはワイヤーレスで接続されているＰＣを介して行うことができる。同様に、ブルートゥース接続を使用してたとえば手で入力することができる。他の実施形態によれば、計量装置（１）をインターネットを介して認定済みの通信相手と接続し、コードをこの経路で計量装置（１）に送る。他の実施形態によれば、他のコード用記憶媒体、たとえばＵＳＢスティックまたはチップカードを使用する。さらに、スキャナーまたはＲＦＩＤ読み取り器の使用も考えられる。同様に言語入力も可能である。回路を用いた計量装置（１）への入力は、ジャンパーを使用して行うことができる。
【００３２】
計量装置（１）へのコードの入力に関わる上述の種々の実施形態に依存して、コードを供給するための種々の可能性がある。たとえばコードを印刷して、納品書に添付することができる。同様に、コードを計量装置の梱包に設けることが可能である。他の実施形態によれば、コードをオンラインで供給し、利用者が照会のために機器のシリアルナンバーまたは納品書番号を入力することができる。
【００３３】
利用者による入力の代わりに、販売者による入力も行うことができ、販売者は製造者からコードを入手して重量計をプログラミングし、或いはコードを顧客に転送する。コードの問い合わせは電話またはＳＭＳによっても可能である。前述したＲＦＩＤチップは利用場所で最初に重量計に取り付けるか、或いは、すでに製造者側で設けられていてよい。
【００３４】
コードの改ざん防止、または、入力したコードに依存した重量計の調整の改ざん防止は、種々の処置によって行うことができる。１つの実施形態は、前述した、計量装置のシリアルナンバーのコードへの取り込みであり、または、他の一義的な特徴の取り込みである。シリアルナンバーの取り込みは、シリアルナンバー全体を考慮して行うか、或いは、シリアルナンバーから検出されるチェックナンバーを考慮して行うことができる。コードを供給するための種々の実施形態ではすべて、コードは暗号化することができる。
【００３５】
実際の重力加速度を考慮することの精度は、適用例に応じて設定することができる。特に、重力加速度に対し提供される値を、基本値および差値の加算によって量子化することが考えられる。ここで差値とは、参照値および整合ファクタの乗積によって得られるものであり、整合ファクタは整数である。基本値は必要な範囲がカバーされるように選定され、参照値は必要な解決が得られるように選定される。
【図１】
2013522608.tif 000003
【図２】
2013522608.tif 000004
【図３】
2013522608.tif 000005
【図４】
2013522608.tif 000006
【図５】
2013522608.tif 000007
【図６】
2013522608.tif 000008
【国際調査報告】
2013522608.tif 000009
2013522608.tif 000010
2013522608.tif 000011
2013522608.tif 000012